(57)【要約】      （修正有）【課題】釣人が今まで解りにくかったウキより下の仕掛け、の広角な馴染み方の違いや、魚の広角な引き込みなどに、より小さな力でウキが角度を変えることで反応する中通しウキを提供する。【解決手段】中通しウキにおいて、ウキ本体よりも比重の軽い浮力部１１が中通しウキの外形体積の７０分の１以上７分の１以下の大きさで設けられ、前記中通しウキの釣糸通し孔１６の両端いずれかの位置から、前記釣糸通し孔１６の両端の距離の３０%以内の位置にウキ本体よりも比重の軽い浮力部のみの重心が設けられている。【選択図】図３
2019180321.tif 000002
【特許請求の範囲】
【請求項１】
中通しウキにおいて、ウキ本体よりも比重の軽い浮力部が中通しウキの外形体積の大きさの７０分の１以上、７分の１以下の大きさで設けられていることを特徴とする中通しウキ。
【請求項２】
前記、中通しウキにおいて、中通しウキの釣糸通し孔の両端いずれかの位置から、前記釣糸通し孔の両端の距離の３０％以内の位置にウキ本体よりも比重の軽い浮力部のみの重心を設けたことを特徴とする請求項１記載の中通しウキ。
【請求項３】
前記釣糸通し孔の口径が前記浮力部に近い側を、前記浮力部より遠い側より大きくしたことを特徴とする請求項1記載の中通しウキ。
【発明の詳細な説明】
【技術分野】
【０００１】
この発明は魚釣りで使うウキで、ウキ自体が水面に浮いたとき一定方向に浮く中通しウキに関する。
【背景技術】
【０００２】
従来、ウキ自体が一定方向に浮くことのできるウキで、釣糸がウキの内部を通る中通しウキがある。
中通しウキには大きく分けて２つのウキがあって、１つは水面に垂直方向に浮くウキと、もう1つは水平方向に浮くウキがある。
どちらの中通しウキもウキ本体の素材として使われているのが、浮力の比較的に強い木材である桐（桐の比重０．２７前後）や発泡材がウキ本体全体に使われている、またはウキの内部が、上部から下部まで中空状の樹脂体などからなり、そのいずれもが強い浮力体となっている。
これらの素材で作るウキは強い浮力になることから、適度の浮力サイズにするのと水面に浮かせた時、一定方向に安定し浮くために、中通しウキの水中に入る側の下端部に重たい錘を設けている。
したがって、ウキは水面に浮く上部側が軽く、水中に入る下部側が重たい構造となっている。
中通しウキ自体に錘を内蔵しているため自重があり遠くまでよく飛ぶので、現在ウキ釣りではこのタイプのウキは多く使われている。
【先行技術文献】
【特許文献】
【０００３】
【特許文献１】特開２００６−０８１４６５号公報
【発明の概要】
【発明が解決しようとする課題】
【０００４】
特許文献１に記載の釣り用浮きでは、ウキ本体にゴムを用いるとあるがゴムにも種類があり比重の軽いものだと比重が０．８位で一番重いフッ素ゴムでは比重が１．８２~１．８５位と幅広い。
また、ウキ体にシリコーンゴムを使用するとある、シリコーンゴムの比重は０．９５~０．９８位で水の比重１．００より軽い、釣り用浮きの主に使う釣り場で一番比重の重いのは海での使用である。海水の比重は、海水温１５度で比重は約１．０２６である。
よって、特許文献１の釣り用浮きはある程度、浮力部も大きく設けているためシリコーンゴムを使ったウキ体の場合、釣り用浮き全体が浮力体となる。
よって、釣り用浮き自体はウキより先の水中に沈む仕掛けにある程度重い錘を付けて、釣り用浮きを下へ引っ張る力がないと自立できない、例えば中通し浮きより先の水中入る仕掛けに、錘などをいっさい付けない高感度重視の仕掛けだと、中通し浮きを垂直方向に浮かせたくても浮かせることができない。
また、道糸と釣り用浮きが接するのは、ウキ本体の上端より突出させたパイプ状の釣糸通し孔の先端部のため、釣り用浮きを水面に浮かせた時、前記突出させた釣糸通し孔の先端部より水面に道糸が馴染むためと、前記突出させたパイプ状の先端部と釣り用浮きの浮力部の間が離れていることから、より小さな力で道糸の馴染み重さや波の上下の力が加わると釣り用浮きは道糸の馴染み方向に傾き不安定になる。
さらに、浮力部が大きいことからウキの上部が軽く下部が重い構造体となるため釣り用浮きの重い下部を中心として軽い釣り用ウキの上部が振れ動き釣り用浮きは不安定になる。
【０００５】
また、ウキを使った釣りの場合、魚が真下方向だけではなく斜め方向や時には横方向などに、釣針に付けた付餌を持ち込もうとする広角なアタリも多い。
このことで、ウキから下の仕掛けにガン玉等の錘を付けない、付けてもなるべく仕掛けを軽くして、ウキから下の仕掛けが、魚の斜め下方向や横方向への引き込みによりウキから下の仕掛けの移動する重さを魚に掛けないようにして釣る釣人は多い。
しかしながら、上記の様な軽い仕掛けは魚に違和感なく食い込ませる高感度と言う面では良いが、反面仕掛けが軽い分、色々な自然現象に大きく影響を受けてしまう。
特に風の影響は大きく、例えば海釣りでの場合、潮の流れは右側に流れているのに風は比較的強く左側へと吹いているようなとき、水面に浮いているウキは、ウキの頭の部分に風があたる。
【０００６】
また、水面近くの表層も、風の力を受けて道糸とともにウキは風下側の左方向へと引っ張られる力が働く、一方、水面下の仕掛けは風の影響を受けないため本来の潮の動きである右側へと流れようとする。
このように、水面にあるウキと水中にあるウキから下の仕掛けとが互いに反対方向に引っ張り合うこととなる。
よって、ウキから下の仕掛けが斜めの状態になりすぎたりすることで、付け餌が浅くなったり、時には水面近くまで付け餌が浮き上がったりすることで魚の居る深さまで付け餌が届かない問題点があった。
【０００７】
また、上記の様に風が強いと、撒き餌をウキと同じ位置に撒いたとしても水面に浮いたウキや水面付近にある道糸が風下側に押されてしまう、一方水中に沈んでゆく撒き餌は、本来の潮の流れに乗って流れていくため、ウキとウキより下の仕掛けは、撒き餌（魚を寄せる餌）により浮いてきた魚の位置と付け餌がある位置がずれてしまい釣果が望めないといった問題点もあった。
しかし、このような場合でも従来の中通しウキでは、下端部に重たい錘が設けられていることで、中通しウキは垂直方向を維持する、このため大きな力が加わらないと中通しウキの角度は変わらないの釣人はウキを見ても上記の事が解らなかった。
よって、撒き餌と仕掛けの投入位置をわざとずらすが、この行為は水中が見えないため釣人の経験や場数による感覚の世界で、釣りの初心者にとっては大変に難しいことであった。
もちろん経験豊富な釣人にとっても難しいことではある。
【０００８】
また、中通しウキから先の仕掛けが水中の真下方向へ馴染んでいる時、魚が付け餌を横方向や斜め下方向へ持ち込もうとすると、ウキから先の水中にある仕掛けは持ち込まれる方向へ移動する。
この時、従来の水中に入る側のウキの下端部に重たい錘が設けらていることから、ウキが持ち込まれる方向に角度を変える時、従来の中通しウキの下端部にある重たい錘が横方向に移動することで、その重たい錘の移動する重さを魚にかけてしまうために違和感を与えて付け餌を放す原因となっていた。
【０００９】
このため近年では、中通しウキが水面に対して垂直方向に浮いたとき、前記垂直方向で中通しウキの下端部にあつた重たい錘の位置をウキの中間部に上げて、中通しウキの下部を軽くすることで魚の横方向や斜め下方向への付け餌の広角な引き込みに対して、中通しウキの角度がある程度変わりやすくさせた高重心ウキが使われるようになった。
しかし、この高重心ウキは強い浮力を押さえている錘をウキの垂直方向で中間部まで上げるため、中通しウキはこの前記中間部が重くなる。
【００１０】
したがって、前記強い浮力を押さえている錘の位置を中通しウキの垂直方向の中心にまで上げると中通しウキは自立できなくなる。
このため、中通しウキの垂直方向の全長の中心より少し下に強い浮力を押さえる錘を設けると、前記中通しウキの垂直方向の中心より少し下が重くなる。
よって、中通しウキの重たい部分を中心に軽いウキの上部と下部が強い浮力体になることから波や力でふらつきやすくなるのである。
さらに、中通しウキの垂直方向の全長で、重たい錘のある中間部より下は強い浮力体となる。
このため、ウキの下部が波の力で跳ね上がる動きを起こすので付け餌を魚が放す原因ともなっていた。
つまり、従来の中通しウキに設けてある重たい錘の位置をウキの垂直方向で上にあげればウキは不安定になり、下部側に下げればウキは小さな力で角度を変えにくくなるのである。
【００１１】
ウキを水面に浮かせて流す時、ウキが先行するか付け餌が先行するかは大事なことで、付け餌が先行する時は、例えば海釣りの場合、釣人から潮が沖側へ流れるとき、付け餌が先行し過ぎると軽い仕掛けでは、仕掛けの先の水中にある付け餌が浮き上がりすぎることとなる。
よって、程良く付け餌を先行させることは水中にあるウキから先の仕掛けが見えないため大変に難しいが、程良く仕掛けの先端にある釣針に付けた付け餌を先行させ流せれば、仕掛けは釣竿から延びる道糸（釣糸）が横方向に水面を漂い、中通しウキを基点として、その先の仕掛けが下に折れるが、その折れ角度が小さくなるため魚の小さなアタリや動きも、魚が動いた分、道糸も動くため釣竿の竿先に伝わりやすく、釣人に竿引きのアタリ（釣竿の竿先が魚のアタリで動くこと）として伝わりやすい。
【００１２】
これは、投げ釣りのように竿先から一直線に道糸を張ることで、時には１００ｍ以上遠投しても魚のアタリが竿先の動きとして伝わるのと同じで、ウキを基点とした仕掛けの折れ角度が小さいほどアタリがでやすいためである。
逆に、中通しウキが先行してウキから先の水中にある仕掛けが後から流れすぎる状態となると、釣人からは中通しウキを基点に釣糸の折れ角度が大きくなることで仕掛けの遊びが大きくなる。
そのため、魚の小さなアタリ、動きが中通しウキから釣竿側の道糸に伝わりにくいため、魚の小さなアタリが取れにくくなる。
この、程よく付け餌を先行させるためには、例えば中通しウキが先行しすぎる場合、リールから出る道糸の出にブレーキをかけ、中通しウキが流れる早さを遅くすることで付け餌が先行するように調整しないといけない、釣人から近い所を狙う場合はウキより下の水面下にあるからまん棒を固定する蛍光色のゴム管や、潮受けゴムなどの目印が中通ウキに対してどの位置にあるかを見ることで解るが、仕掛けが流れて釣人から遠ざかる、あるいは仕掛けを遠投した場合、また、水面が逆光により鏡のようになった場合など近場でも水面下の目印が見えなくなる。
【００１３】
また、中通しウキごと水中に沈めて釣竿の竿先から延びる道糸を張り気味にして、竿先の動きで魚のアタリを取るような釣り方の場合、その張り気味にした道糸で引っ張られる側のウキの形状を平らに近い形の中通しウキを使う場合、これは平らに近い形をした中通しウキを使うことで水に対する抵抗を大きくすると、それが重みとなって釣人が持つ釣竿の竿先に伝わり、釣人がその重みによって中通しウキの先の水中にある仕掛けを流す時の道糸の送り量やタイミングなどが解りやすくなる。
しかし、従来の中通しウキの様に道糸で引っ張られる側の反対側にある重たい錘を設けた中通しウキでは、確かに、潮の流れが速い時や風が強い時などは、道糸が強めに引っ張られるので、中通しウキが傾き、中通しウキの平らに近い形状が生かせるが、風も弱く潮の動きも弱いと道糸を引っ張る力も弱くなるため、従来の中通しウキの道糸を引っ張られる側の反対側にある重たい錘が設けられている中通しウキでは、その重たい錘の重みにより、釣人が道糸を張り気味にしても、中通しウキの平らに近いの部分が道糸の張った側に傾かないため、せっかくの中通しウキの平らに近い形が生かされない問題点があった。
また、従来の中通しウキでもう一つの、水平方向に浮く横ウキも、ウキが水平方向に浮いた際、水面上に浮く重たい錘を設けてあるため魚が釣針に付けた付餌を持ち込む時、横ウキが角度を魚の引き込まれる方向へ変わろうとする場合、前記中通しウキの頭部の反対の水中にある下端部に重たい錘を設けているため、魚に違和感をあたえてしまう問題点があつた。
【００１４】
また、ウキに残存する浮力を極力なくしてウキを水面ギリギリに浮かせて、魚が付け餌を引き込む時にウキの重みを感じさせないよう高感度な状態で釣っている時、波の上下動によりウキの浮力が弱いため、ウキが水面を浮いたり沈んだりするような状況だと、魚の小さな動きのアタリがあっても釣人は、そのアタリが解らないことが多い。
これは魚が横方向に付け餌を引っ張る動きや、あまり上下動しないで付け餌を居食いする時に多くなり、付け餌だけ食べられて魚のアタリを逃す原因となっていた。
【００１５】
そこで、鋭意研究の結果、中通しウキが垂直方向に浮いた時、水中側の下端部にある重たい錘を設けてある中通しウキや、中通しウキを水中に沈めて釣る場合の道糸を引っ張られた側の反対にある重たい錘があるから中通しウキの角度が変わりにくい、この重たい錘を出来る限り無くすことを考えた。
しかし、中通しウキの強い浮力を押さえている重たい錘が無くなると、従来のウキ体の素材や構造では中通しウキは横になってしまい自立できなくなる。また、浮力が強くなりすぎる。
よって、中通しウキの浮力部をできる限り小さくすることで中通しウキの浮力を弱くできる。
したがって、中通しウキの浮力部以外のウキ体も、全体としては浮力体にならない比重で軽く設けることができる。
【００１６】
さらに、浮力部を中通しウキが垂直方向に浮いた時、釣糸通し孔を中心として中通しウキの側面外周に向かい水平方向へ広がるように設けることで、中通しウキの安定性が向上する。
中通しウキが垂直方向に浮いた時、下端部に重たい錘が設けなくても、さらに中通しウキより先の水中にある仕掛けに重たい錘を付けない軽い仕掛けでも、中通しウキは一定方向に浮き十分に使用できる中通しウキの安定性を得られる。（ここで言う軽い仕掛けとは、中通しウキより先のハリスなどの仕掛けに、一切のガン玉等の錘を付けない状態から、錘を付けても約０．６ｇ以下位までのガン玉で言うＢ 程度の重さの錘までを付け、これにその他の釣り具であるからまん棒や釣針などの重さを加えた仕掛けの重さまでを言う）よって、上述した課題を全て解決されることを知見し、この発明を完成させた。
使用にあたっては２つの使い方ができる。
まず、釣竿の竿先から延びる道糸を中通しウキの浮力部に近い方の釣糸通し孔の端の開口部より通し入れ、もう一方の浮力部に遠い方の釣糸通し孔の端の開口部に通し抜き、その先にハリス、釣針等の仕掛けを取り付け中通しウキを使う場合の通常仕掛けと、もうひとつ逆に、浮力部より遠い方の釣糸通し孔の端の開口部より釣竿の竿先より延びる道糸を通し入れ、浮力部に近い方の端の開口部より道糸を通し抜いて、その先にハリス、釣針等の仕掛けを取付け中通しウキを使う逆仕掛けの使い方ができる。
以上の２つの使い方が出来て、それぞれに違う中通しウキの長所がある。
【００１７】
すなわち、この発明はウキから下の仕掛けが斜めになり過ぎることで、仕掛けが浮き上がり過ぎると、水面に浮いた中通しウキが、その仕掛けの馴染み方向に角度が変わることで、釣人に今まで解らなかった仕掛けの状態をウキを見ることで解るようになる。
さらに、魚の引き込み方向により小さな力でウキの角度が変わり、また魚が付け餌を違和感なく引き込み持って行くことで、釣針に付けた付餌を魚が放すことの頻度を少なくすることができる。
また魚の小さな動きのアタリも解りやすくなる中通しウキを提供することを目的としている。
【課題を解決するための手段】
【００１８】
請求項１の記載によれば、中通しウキにおいて、ウキ本体よりも比重の軽い浮力部が中通しウキの外形体積の大きさの７０分の１以上、７分の１以下の大きさで設けられていることを特徴とするものである。
請求項２の記載によれば、前記中通しウキにおいて、中通しウキの釣糸通し孔の両端いずれかの位置から、前記釣糸通し孔の両端の距離の３０％以内の位置にウキ本体よりも比重の軽い浮力部のみの重心を設けたことを特徴とするものである。
請求項３の記載によれば、前記釣糸通し孔の口径が、前記浮力部に近い側を、前記浮力部より遠い側より大きくしたことを特徴とするものである。
ここで、中通しウキの外形体積とはウキの個体部分のほかに浮力部を含めた体積のことである。
また、中通しウキの浮力部以外の全体のウキ体は、主に使う釣り場の中で最も比重の大きい海の海水の比重より少し大きい程度で設けられる。
これにより、どの釣り場においても使える中通しウキとなる。
また、釣糸通し孔の両端の距離で、中通しウキの浮力部に近い方の釣糸通し孔の端部に上端凹部９を設ける場合は、前記上端凹部９も中通しウキの釣糸通し孔の一部に含まれる、よって、前記釣糸通し孔の両端の距離の中に上端凹部も含まれる。
【発明の効果】
【００１９】
本発明の請求項２の中通しウキによれば、釣竿の竿先から延びる道糸を、中通しウキの浮力部に近い方の釣糸通し孔の端の開口部より通し入れ、反対の釣糸通し孔の開口部に通し抜く通常仕掛けで、中通しウキを使った場合、中通しウキを水面に浮かせると、中通しウキ本体よりも比重の軽い浮力部のみの重心が、中通しウキの浮力部に近い方の釣糸通し孔の端側にあるため、中通しウキの浮力部に近い方側が水面に浮き、もう一方の浮力部に遠い釣糸通し孔の端側が中通しウキの浮力部以外のウキ体の重みと、中通しウキより先にある仕掛けの重さで水中に沈むため中通しウキは水面に対して垂直方向に浮く。
さらに、浮力部は中通しウキが垂直方向に浮きた時、釣り糸通し孔を中心として水平方向に広がるように設けているため中通しウキの安定性は確保される。
中通しウキの浮力部がウキ本体外形体積の大きさの7分の1以下の大きさで小さく設けられていることから、浮力部の浮力は強くないので中通しウキの浮力部以外のウキ体も軽く設けられる。
これにより、中通しウキより先の仕掛けが斜め方向になり過ぎたりすると、道糸と中通しウキが接する釣糸通し孔の浮力部から遠い方の端側は、中通しウキの浮力部と位置が離れている。
しかも中通しウキの下端部には重たい錘を設けていない、これにより本発明の中通しウキは簡単に小さな力で角度を変えて、中通しウキより先の水中に馴染んだ仕掛け方向に中通しウキが傾くのである。
【００２０】
また、中通しウキの浮力部以外のウキ体は、例えば海での使用だと海水の比重より少しだけ大きい程度にすると中通しウキより先の水中にある仕掛けを魚が横方向などに付け餌を持ち込んだ時も、中通しウキは簡単に小さな力で角度が変わることで魚に違和感をあたえない。
よって、例えば視認部を上部と中間部や上部と下部あるいは上部だけを蛍光色などに色分けすることで、その視認部の位置が変わることで釣人に中通しウキから先の仕掛けの馴染み方向の違いが、中通しウキの視認部を見ることで釣人は解るようになる。
よって、中通しウキが先行しすぎて流れることで、仕掛けの折れが大きくなり、魚の小さな動きのアタリがとれなくなった時でも、例えばリールから出る道糸の出にブレーキをかけながら中通しウキの流れるスピードを遅くして水中にある付け餌と同じスピードで中通しウキが流すことで付け餌の浮き上がりすぎや中通しウキが先行しすぎることを防止できることで魚の小さなアタリもとれるようになる。
【００２１】
さらに、釣人は中通しウキから先の水中にある仕掛けが斜めになり過ぎて付け餌のある位置が浅くなりすぎる状態になった時、水面の中通しウキが角度を変えて斜めに反応するのを見て、中通しウキの浮力サイズを上げて、中通しウキより先の仕掛けの、例えば付け餌の近くのハリスにガン玉等の錘を付けることにより仕掛けの浮き上がりなどを防げると、中通しウキが傾きすぎていた状態から垂直方向に近い状態に角度が変わると、中通しウキより先の仕掛けが水中下方向へしっかりと馴染んだことが解る。
よって付け餌を釣人が狙う所定の深さに漂わせることができる。
また、その確認を中通しウキの視認部の位置変化を見て確認をすることができる。
【００２２】
また、中通しウキの浮力部に近い釣糸通し孔の端側のウキの形状を平らに近い形状にしたウキを使う場合、道糸を張ってやると中通しウキが手前に引っ張れ、中通しウキより先の水中にある仕掛けが斜めに傾くことで中通しウキの上部側が小さな力で簡単に引っ張られた側へ向くため、中通しウキの上部の平らに近い形状で水の抵抗をより受けることで、釣人が持つ釣竿の竿先に重みとなってより伝わるため、緩い流れでも中通しウキの重みをより感じることが出来る。
このため、道糸の送り出すタイミングや送り量などの調整が解りやすくなる。
以上の事から、中通しウキを水中に沈めることでウキが見えなくなっても、今まで解りにくかった道糸の送り調整など調整が釣りの初心者でも本発明の中通しウキを使うことで簡単に仕掛けをうまく調整し流せるようにできる。
【００２３】
また本発明の請求項３の中通しウキによれば上記の効果に加えて、釣人が狙う魚の大きさの違いや中通しウキから先の水中に入る仕掛けの重さが違い、あるいは潮などの流れの変化による中通しウキから先の仕掛けが受ける水中抵抗の違いにより中通しウキの残存浮力も違ってくる。
このような時でも、請求項３のように浮力部に近い方の釣糸通し孔の口径大きくすることで、前記釣糸通し孔の口径を大きくした所に、中通しウキより釣竿側の道糸に通したワッシャー形錘を挿入でき、前記ワッシャー形錘を脱着できることで中通しウキの浮力の微調整が出来るようになる。
これにより中通しウキの残存浮力をさらに小さくできるので、魚が釣針に付けた付け餌を食った時、波の上下による中通しウキの重みを魚にかけることが最小限にでき、魚が付け餌を放すことの頻度を少なくできる。
【００２４】
また、釣竿の竿先から延びた道糸が水面の近い所を水平方向に馴染み、中通しウキの浮力部に近い方の釣り糸通し孔の端の開口部分を基点に、中通しウキより先の仕掛けは折れて、その仕掛けは水中の下方向へと釣針の重みなど（ハリスなどにガン玉などの錘を付けているときは錘の重みも加わる）で沈んでゆく。
これにより、中通しウキの浮力部に近い方側の釣糸通し孔の端部を水中へ引き込もうとする力が働くが、前記釣糸通し孔の端部と中通しウキの浮力部は近いため、この浮力部が中通しウキの浮力部に近い方の釣糸通し孔の端部側を沈めることを防ぐ、また中通しウキのもう一方の浮力部に遠い方の釣り糸通し孔の端部側のウキ体には重たい錘は設けていないため、中通しウキの浮力部以外のウキ体の大きさと、浮力部から浮力部に遠い方側の釣糸通し孔の端までのウキ体の長さを調節して設ければ、例えば海で中通しウキを使う場合、浮力部以外のウキ体は海水の比重よりわずかに大きい程度なので中通しウキの浮力部に遠い方のウキ体は、道糸の馴染み方向に沿う形で中通しウキはほぼ水面に水平方向に浮く状態となる。
（これは、例えば０サイズ中通しウキの浮力の場合、ウキから先の仕掛けにはガン玉等の錘を一切付けないで余分な浮力をあまり残さない浮力サイズのウキであるが、仕掛けが軽いぶん中通しウキの浮力部も小さい。逆に、Ｂ浮力サイズの中通しウキの場合、浮力が大きくなったぶん、中通しウキから先の仕掛けも重くするため、中通しウキの浮力サイズが違ってもウキの大きさがおなじであれば、ほぼ中通しウキは水平方向に浮くのである。）
【００２５】
これにより、例えば中通しウキを通常仕掛けでウキの残存浮力を極力なくして水面に対して垂直方向に、水面ギリギリに浮かせた高感度重視の状態で釣ると、海では波の上下動により中通しウキの浮力が弱いため、中通しウキが浮いたり沈んだりするような状態になると、魚の小さな引き込みや、特に魚の横方向の動きのアタリなどではウキが水中へ沈む動きも小さくなるために釣人は、これらの魚のアタリが解らないことが多くなり、仕掛けを上げてみると付け餌だけ食べられていることが多くなる。
このような時でも本考案の中通しウキを水平方向に浮かせて釣ると、魚の小さな動きによるアタリでも、中通しウキが下方向へわずかに引っ張られるだけで、中通しウキが小さな力で簡単に角度を変えることで中通しウキが回転するため、中通しウキの視認部の位置が変わるのを釣人が見ることで今まで解らなかった魚の小さなアタリが解るようになる。
また、中通しウキの浮力をさらに小さくしたマイナス浮力の中通しウキを水平方向の横ウキ状態で水中にウキごと沈めて魚のアタリにより仕掛けが動くと、やはり小さな力で中通しウキの角度が変わることで中通しウキの各視認部の位置が変わるため、中通しウキが水中にあっても比較的に近くを釣る場合、水中にあるウキは目で見えるためより小さな魚のアタリをとらえることが出来る。
これにより、釣りの初心者でも魚の小さなアタリが解りやすくなる。もちろん釣りの上級者にとってもより魚の小さなアタリがとりやすくなり高釣果へとつながる。
【図面の簡単な説明】
【００２６】
【図１】この発明に係る中通しウキ及び各仕掛けを道糸に取り付けて中通しウキを水面に浮かせた状態を示す側面図である。
【図２】この発明に係る中通しウキの側面図である。
【図３】この発明に係る図２の中通しウキのＡ―Ａ断面図である。
【図４】この発明に係る図２の中通しウキのＢ―Ｂ断面図である。
【図５】この発明に係る中通しウキのより下の仕掛けの馴染み方向の違いを表した側面図である。
【図６】この発明に係る中通しウキを釣竿の竿先から延びる道糸を中通しウキの浮力部から遠い方の釣糸通し孔の端の開口部に通し入れもう一方の浮力部に近い方の釣り糸通し孔の端の開口部より通し抜いて、その先にハリス、釣針等の仕掛けを取り付けた逆仕掛けを使った時、魚の小さなアタリに対して中通しウキがどう動くのかを表した側面図である。
【図７】この発明に係る中通しウキを釣竿の竿先から延びる道糸を中通しウキの浮力部に近い方の釣糸通し孔の端の開口部より通し入れ、反対の中通しウキの浮力部より遠い方の釣糸通し孔の開口部に通し抜く通常仕掛けで、中通しウキを水中に沈めて使った場合に水中で中通しウキがどのようになっているのかを表した側面図である。
【図８】この発明に係る中通しウキで、釣竿の竿先から延びる道糸にワッシャー形錘を取り付け、その次に、本発明の中通しウキを取り付け、その次に、ゴム管に道糸とハリスを互いに通し抜いて、前記ゴム管にストッパー棒を押し込み前記道糸とハリスを仮固定させた状態を示したもので、前記中通しウキとゴム管については断面図で表したものである。
【発明を実施するための形態】
【００２７】
以下、この発明の実施例を具体的に海釣りでの使用で説明する。
【実施例】
【００２８】
図１にいては、この発明の実施例１に係る中通しウキ３を道糸に取り付けて中通しウキ３を水面に浮かせた状態を示す。
また、同図１は釣竿であって、この釣竿１の竿先から道糸４が延び、この道糸４の先端部に本発明の中通しウキ３が取り付けられる。
中通しウキ３は道糸４ではなくハリス８の中間部に取り付けてもよい。
【００２９】
以下、図１〜図８を参照して、これらの講成体を具体的に説明する。
図１に示す釣竿１は磯竿である。道糸４とハリス７には釣りの状況に応じてガン玉８などの各種の釣り具を取り付けることができる。
図２中通しウキ３が水面に対して垂直方向に自立している状態を表している。
図３に示すように、本発明の中通しウキ３の実施例１で垂直方向の中心に釣糸通し孔１６が設けられてある。
中通しウキ３の垂直方向の上端部に上端凹部１０を設けていて、浮力部１１以外のウキ体は合成樹脂であるＡＢＳ樹脂を使用している、ＡＢＳ樹脂は耐衝撃に優れている。
また、中通しウキ３の上端凹部１０は設けなくても良い
図４に示すように中通しウキ３を垂直方向の上から見た断面図である。
中通しウキ３の垂直方向の中心に釣糸通し孔１６がある、また凸部１２の周部にドーナツ形状の浮力部１１が中通しウキ３の釣り糸通し孔１６を中心として水平方向の側面外周に向かって広がり設けている。
【００３０】
また、中通しウキ３の浮力部１１以外のウキ体は全体としては浮力が無く、海釣りでの場合、海水の比重より少し大きい程度なので中通しを沈めようとする力は弱い、このため中通しウキ３の上部に設ける浮力部１１は小さく設けることが出来る。
これにより中通しウキ３の全体で、軽い部分と重たい部分の差が小さくなるため、中通しウキ３の重たい部分を支点に軽い部分が波の力で揺れる欠点も小さくなる。
【００３１】
図５の(a)では、中通しウキの浮力部１１の近い方の釣糸通し孔１６の端の開口部より釣竿１の竿先から延びる道糸４を通し入れ、浮力部１１に遠い方側の端の開口部へ通し抜き、中通しウキ３を使う通常仕掛けでは、浮力部１１に近い方側の釣糸通し孔１６の端部側が水面に浮き、浮力部１１に遠い方側の釣糸通し孔１６の端部側が水中に沈み、水面に中通しウキ３が垂直方向に浮いたとき、釣竿１の竿先から延びる道糸４と中通しウキ３が接地する釣糸通し孔１６の垂直方向の上端部と前記浮力部１１とは近い、さらに前記浮力部１１は釣糸通し孔１６を中心に中通しウキ３の外周側面に向かって水平方向に広がり設けている。
さらに、浮力部１１は中通しウキ３の垂直方向の浮力部に近い方側の釣糸通し孔１６の上端より３０％以内にウキ本体よりも比重の軽い浮力部のみの重心が設けられているため、道糸４の馴染み重さのような中通しウキ３の浮力部１１に近い方側の釣り糸通し孔１６端部に小さな力が一方方向に掛かっても中通しウキ３は傾きにくい。
【００３２】
逆に、道糸４と中通しウキ３が接する釣糸通し孔１６の、浮力部１１に遠い方の釣糸通し孔１６の、端部と浮力部１１は離れている、しかも中通しウキ３の垂直方向の下端部には重たい錘を設けていない。
これにより中通しウキ３より先の水中にある仕掛けを魚が横方向や斜め下方向に付け餌９を持ち込んだ時や、風の影響などで中通しウキ３が風下へ引っ張られて移動することで、仕掛けが斜めになり過ぎたりすると、中通しウキ３の垂直方向で、浮力部１１より下側のウキ体が簡単に小さな力で、魚の持ち込む方向へ向いてくれるため、中通しウキ３は簡単に小さな力で角度を変えることにより、魚が付け餌９を持ち込むのに違和感をあたえない。
また、仕掛けが斜めになり過ぎると、釣人は中通しウキ３が斜めになり過ぎた方向へ角度を変えることにより、中通しウキ３の垂直方向で、上部と中間部で色分けされた視認部の位置変化を見ることで仕掛けの馴染み方向が解るようになる。
【００３３】
よって、例えば中通しウキ３の視認部をウキの垂直方向の上部と下部または上部と中間部あるいは上部だけを蛍光色などに色分けしていれば、その色分けされた視認部の位置変化を釣人が見ることで、中通しウキ３より先の水中にある今まで解らなかった仕掛けの状態が解るようになる。
【００３４】
ここで、中通しウキ３の浮力部１１のみの重心が中通しウキ３の垂直方向の全長の上端より３０パーセント以上になると、浮力部１１の位置が下るため中通しウキ３の垂直方向を維持する力が弱くなり安定性が悪くなりすぎる。
また、中通しウキ３のウキ本体よりも比重の軽い浮力部１１を中通しウキ３の外形体積の大きさより7分の１以上に大きくすると浮力部１１の浮力が大きくなった分だけ浮力部１１以外のウキ体の比重を大きくしないといけないため、中通しウキ３の垂直方向の下部を重くしないといけないことにより、中通しウキ３が小さな力で簡単に角度を変えにくくなる。
また、中通しウキ３の形状としては限定されない。例えば、どんぐり形、または逆円錐形などを採用できる。
また、浮力部以外のウキ体の素材としては限定されない。ＡＢＳ樹脂やその他の合成樹脂などが採用される。
中通しウキ３の成型方法にあたっては限定されない。例えば旋盤等で各部品を切削加工し組み付けても良いし、金型によって各部品を成型し組み付けても良い。
【００３５】
中通しウキ３の構造としては、例えば、一方を解放させた空洞部１４があって、前記空洞部１４の奥の中心には中通しウキ３の垂直方向に貫通孔が設けられた第一部材１３と、先端に凸部１２があって、その凸部１２の中心には垂直方向に上端から下端まで貫通孔が設けてあって、前記第一部材１３の空洞部１４に嵌合する前記凸部１２以外は、前記第一部材１３の空洞部１４の長さより少し短尺な第２部材１５とからなり、第一部材１３の空洞部１４奥に浮力部１１ができるようにした構造体でも良い。
中通しウキ３の構造としては、第一部材１３の内部に設けた空洞部１４の開放された側より前記空洞部１４に嵌合する蓋体である第二部材１５が挿入接着された砲弾型のウキである。
中通しウキ３の大きさは中通しウキ３の垂直方向の全長は３１．１ｍｍ、水平方向の横幅２６ｍｍである。ウキ体に使用しているのはＡＢＳ樹脂で、比重が１．０７の物を使っていて、浮力部１１の大きさは中通しウキ３の垂直方向で上端より３．１ｍｍの所から下へ２．１ｍｍ前後の大きさで、水平方向の横幅の外径は１８．０ｍｍ、内径が６．０ｍｍの大きさで浮力部１１が中通しウキ３の垂直方向の上部に設けられている。
【００３６】
この浮力部１１の大きさで中通しウキ３の浮力サイズはＧ５浮力である。（ここで言うＧ５サイズの浮力とは例えば、ウキから下の仕掛けにガン玉５号の錘を付けてハリス１．５号を２.５ｍの長さで釣針も中軸のグレバリ５号で、道糸とハリスは直結の仕掛けを使っての中通しウキ３が水面にあまり浮力の残らない状態で浮く程度の浮力である。（但し道糸とハリスを連結金具であるサルカンを使用した場合や余分な浮力を少し多めに残している状態で浮力サイズ表示をする場合もあるため、あくまでも一例として書いている。）
また、浮力の違う中通しウキ３を作るには浮力部１１の垂直方向の大きさを変える事や第二部材１２の少し短尺な部分に穴を設ける事で浮力部１１の大きさを変え、浮力の違う中通しウキ３を作る。
また、中通しウキ３の大きさが変われば浮力部１１の大きさも変わる。
また、浮力部１１の水平方向の外径の大きさ及び内径の大きさを変えることにより、中通しウキ３の垂直方向を維持する力を変えられる。これにより中通しウキ３の安定性を良くする、または波の影響が小さな小波やナギ場などでは、より小さな力で中通しウキ３が傾きやすくなる中通しウキ３が出来る。
また、浮力部１１は中空部で設けているがその他の物でも良い、例えば発泡材なども採用できる。
【００３７】
また、浮力部１１の形としては限定されない。中通しウキ３が水面２に対して垂直方向に自立した時、その垂直方向から見ると、例えば浮力部１１の外周が円形や多角形また周部が凹凸のある円形など、水平方向から見ると四角形や台形または円盤形などの形状を採用できる。
【００３８】
図５の(a)(b)では,本発明の中通しウキ３を水面に浮かせて、中通しウキ３より先の水中にある仕掛けがどう馴染んでいるのかを表したもので実際に釣りをしているように説明してゆく。
図５の(a)では、魚は水面下３ｍ位のところに撒き餌によって浮いてきているため、釣人は水深３ｍ近くに付け餌９を漂わせるようにウキ下の深さを調整して釣っている。
海も穏やかで風もなく中通しウキ３から先の水中にある仕掛けは水面の真下方向に馴染んでいるため、魚が浮いてきている３ｍ近くに付け餌９は届いている。
しかし、もう一方の図５の(ｂ)では図５(a)と同じ仕掛けで釣人は水面から下の３ｍ位のところに付け餌９が漂うようにウキ下を調整して釣っている。
【００３９】
魚も撒き餌によって同じように水面から下の３ｍ位の所に浮いてきている状態ではあるが、今度は水面に風が出てきて中通しウキ３が風下側へ引っ張られるため中通しウキ３が先行しすぎて中通しウキ３より先の水中にある仕掛けが後から流れる状態となっている。
このため、中通しウキ３より先の水中にある仕掛けが斜めになり過ぎて、水中にある付け餌９が浅くなりすぎた所を漂うようになってしまい、魚が浮いてきた３ｍ位の所に付け餌９がまったく届かない状態となっている。
【００４０】
この様な状況になった時も、本発明の中通しウキ３では水中側のウキ本体は海水の比重よりわずかに大きい程度なので、小さな力で簡単に中通しウキ３より先の、斜めになり過ぎた仕掛け方向に、中通しウキ３が角度を変えて傾くことにより、図５の(a)の様に中通しウキ３の先の水中にある仕掛が水面の真下方向に馴染んでいる時は、中通しウキ３の上部視認部１８は水面上側にあり、釣人の目１７から良く見えるが水中にある中間視認部１９は見えにくい状態であるが、中通しウキ３が先行しすぎて釣人から離れてゆく場合，中通しウキ３の上部視認部１８が釣人の反対側へ傾き見えにくくなる反面、中通しウキ３の水中側面にあった中間視認部１９が水面の上側へ移動するため見えやすくなる。
【００４１】
このことで、付け餌９が浅くなりすぎていることが解るため、例えば中通しウキ３の先の水中にある仕掛けのハリス７にガン玉８などの錘を付けて仕掛けを重くするか、リールから出る道糸４の出にブレーキをかけ、中通しウキ３の流れる早さを遅くして中通しウキ３より先の水中にある仕掛けの流れる早さと同じようにすれば、仕掛けは真下方向に馴染むようになる。
これにより、中通しウキ３の上部視認部１８がふたたび水面上側に位置が変わり釣人から見やすくなることで確認ができる。
したがって、釣りの初心者でも仕掛けの流し方が本発明の中通しウキ３の角度変化を見ることで上手くできるようになり高釣果へとつながる。
【００４２】
図６に示すように、本発明の中通しウキの実施例２で、図５で示した同じ中通しウキ３を、今度は逆に、釣竿１から延びる道糸４を、中通しウキ３の浮力部１１に遠い方の釣糸通し孔１６の端の開口部より通し入れ、もう一方の浮力部１１に近い方の釣糸通し孔１６の端の開口部に通し抜いた逆仕掛けで中通しウキ３を使った場合。
釣竿１の竿先から延びた道糸４が水面の近くを水平方向に馴染み、中通しウキ３の浮力部に近い方の釣糸通し孔１６の端を基点に中通しウキ３より、先の仕掛けは折れて水中下方向へと釣針の重さなどで沈もうとする。
これにより、中通しウキ３の浮力部１１に近い方側は水中へ沈もうとする力が働くが、前記浮力部１１に近い方側の釣糸通し孔１６の端部と浮力部１１は近いため、この浮力部１１が前記中通しウキ３の浮力部１１に近い方側を沈めることを防ぐ。
また、中通しウキ３を浮力の強い浮力サイズの物にした場合でも、その浮力の強くなった分の浮力を押さえる錘を中通しウキ３の先の仕掛けに付けるため、同じように中通しウキ３の浮力部に近い方側を沈めることを防ぐ。
【００４３】
また、中通しウキ３の、もう一方の浮力部に遠い方の側のウキ体には重たい錘は設けていない、また浮力部１１以外のウキ体は海水の比重より少しだけ大きい比重で設けられていることから中通しウキ３の浮力部１１より、浮力部に遠い方側のウキ体の大きさ及び長さを調整し設けてやれば実験をした結果、中通しウキ３を垂直方向に浮かせた通常仕掛けで水面に浮かせたところ、程良く小さな力で中通しウキ３の角度が変わるウキを今度は、逆仕掛けで水面に浮かせた時、中通しウキ３は道糸４の馴染み方向に沿う形で水平方向に浮く状態となった。
これにより、中通しウキ３を通常仕掛けで、ウキの残存浮力を極力なくして水面に対して垂直方向に、水面ギリギリに浮かせた高感度重視の状態で釣ると、海では波の上下動により中通しウキの浮力が弱いためウキが浮いたり沈んだりするような状態になると、魚の小さな引き込みや、特に魚の横方向の動きのアタリなどではウキが水中へ沈む動きも小さくなるために釣人は、これらの魚のアタリが解らないことが多くなる。
仕掛けを上げてみると付け餌だけ食べられていることが多くなる。
【００４４】
このような時でも、本考案の中通しウキ３を水平方向に浮かせて釣ると、魚の小さな動きによるアタリでも、中通しウキ３が下方向へわずかに引っ張られるだけで、中通しウキ３が小さな力で簡単に角度を変える。
このため、図６の（ｃ）では中通しウキ３の中間視認部１９が水面上にありよく見えていたが、図６の(ｄ)では魚の引き込みにより中通しウキ３が回転したことで中間視認部１９が水中に入り見えなくなるため、中通しウキ３の各視認部の位置変化を見ることによって今まで解らなかった魚の小さなアタリが解るようになる。
また、中通しウキ３の浮力をさらに小さくしたマイナス浮力の中通しウキを水平方向の横ウキ状態で水中にウキごと沈めて使った場合も、釣人から近くを釣る場合は水中にある中通しウキが見えるため、魚のアタリにより仕掛けが動くと、やはり小さな力で中通しウキの角度が変わることで中通しウキの各視認部の位置が変わるため、小さな魚のアタリをとらえることが出来る。
【００４５】
図７に示すように、今度は上記の中通しウキ３の浮力部１１大きさを、さらに小さくさせることで中通しウキが水中に沈む浮力の中通しウキを使う本発明の実施例３の中通しウキ３３を使う場合、中通しウキ３３の浮力部に近い方の釣糸通し孔の端側のウキの形状を平らに近い形状２９にすると釣人が、中通しウキ３３が水中に沈んでいて見えない場合、釣竿の竿先から延びる道糸２８を張り気味にして、魚のアタリを竿先の動きで解るようにした釣り方をすると、図７の(ｅ)では従来の中通しウキ２５で浮力を無くして道糸２１を張り気味にして中通しウキ２５が水中へ沈むようにして釣る場合、道糸２１を張り気味にすることから、中通しウキ２５は引っ張られた側の反対側に重たい錘が設けてあることで中通しウキ２５が、道糸から引っ張られる側のウキの形を平らに近い形状２２にして水に対しての抵抗が大きくなるようにしているが、潮の流れがある程度早い時は道糸２１の張られた側へ中通しウキ２５は傾くため、中通しウキ２５の浮力部に近い方の平らに近い形状２２で水流抵抗が大きくなり、釣人の持つ釣り竿の竿先に重みとなって伝わってくることで、道糸２１の送るタイミングや送り量などを調整することが解りやすく
なる。
【００４６】
しかし、潮の流れが緩くなると、従来の中通しウキ２５のハリス側の下端部に設けてある重たい錘のせいで道糸２１を張っても、その道糸２１を張った側へ中通しウキ２５は傾かないために、せっかくの中通しウキ２５の平らに近い形状２２が生かされないため釣人の持つ釣竿の竿先に、中通しウキ２５の重みが伝わりにくいため、道糸２１の送りのタイミングや送り量の調整が解りにくくなる。
しかし、本発明の中通しウキ３３では潮の動きが緩くなったとしても、中通しウキ３３は従来の中通しウキ２５の様な重たい錘は設けていないのと浮力部も小さく設けていることから、小さな力で簡単に中通しウキ３３は道糸２８の張られた側へ角度を変え傾くため、中通しウキ３３の平らに近い形状２９が道糸２８の張られた側へ向くことで潮の流れをよりとらえて水流抵抗が大きくなり、釣人の持つ釣竿の竿先に重みとなってより伝わるため、釣人は竿先が重くなるり道糸２８を出し、竿先が軽くなると道糸２８を止めるなどの動作を小まめくり返すことで、道糸２８の遊びが小さくなり、魚の小さなアタリをとりやすくさせるどうさの調整が簡単にできるようになる。
【００４７】
図８に示すように本発明の実施例４の中通しウキ３５で、前記中通しウキ３５の浮力部３７に近い方側の釣糸通し孔の口径を浮力部３７に遠い方の側の口径より大きくした釣糸通し孔口径大部３８が設けてある。
前記釣糸通し孔口径大部３８の口径は５．３ｍｍ前後で中通しウキ３５の浮力部に近い方側の端から２１ｍｍの長さで設けている。
釣糸通し孔口径大部３８は前記２１ｍｍの所よりテーパー状に狭まり浮力部３７の遠い方の釣糸通し孔４１の端まで２ｍｍの大きさで設けられている。
前記釣糸通し孔口径大部３８には中通しウキ３５の浮力を微調整できるワッシャー形錘３６を入れられるようになっていて、前記ワッシャー形錘３６の大きさは外径５ｍｍで内径２．９ｍｍの大きさで厚みは０．５ｍｍ程度である。
ここで、の大きさは外径及び内径また厚みは大きくしても良いし、小さくしても良い。
ただし、ワッシャー形錘３６あまりを大きくするとワッシャー形錘が重たくなりすぎると、中通しウキ３５の浮力の微調整がやりにくくなるので好ましくない。
【００４８】
また、ワッシャー形錘３６の外径が変われば釣糸通し孔口径大部３８の大きさも変わる。ワッシャー形錘３６の外径より釣糸通し孔口径大部３８の口径が大きすぎると中通しウキ３５の釣糸通し孔口径大部３８に入れたワッシャー形錘３６が、前記中通しウキ３５を投入した時、水面に着地した際の衝撃で、ワッシャー形錘３６が飛び出してしまうため、前記ワッシャー形錘３６の外径より少し大きい程度にすることが好ましい。
これにより、中通しウキ３５の釣糸通し孔口径大部３８にワッシャー形錘３６を入れて水面に投入した際、飛んでいた中通しウキ３５が水面に着地したことで急に止まるため、中通しウキ３５の釣糸通し孔口径大部３８に入っていたワッシャー形錘３６は、前記中通しウキ３５が急にとまる衝撃の力で中通しウキ３５の浮力部に遠い方の釣糸通し孔４１のほうに行こうとするが、前記浮力部３７に遠い方の釣糸通し孔の口径はワッシャー形錘３６より小さいため、その位置にとどまる。
【００４９】
また、その反動の動きがあっても釣糸通し孔口径大部３８はワッシャー形錘３６の外径の大きさより少しだけ大きい程度にしているので、釣糸通し孔口径大部３８の内壁にワッシャー形錘３６があたりながらズレようとするために、その力は小さくなる、さらに、水面に中通しウキ３５が着地してワッシャー形錘３６を中通しウキ３５の浮力部３７に遠い方の釣糸通し孔４１の端側に行かせようとする力の方が大きくなるため、ワッシャー形錘３６は中通しウキ３５の釣糸通し孔口径大部３８より飛び出さないため、前記釣糸通し孔口径大部３８の中通しウキ３５の浮力部３７に近い方側の釣糸通し孔口径大部３８の端にある開口部には栓などをする必要がない。
よって、中通しウキ３５の釣糸通し孔口径大部３８は水密構造にする必要もなく中通しウキ３５の構造は簡単である。
【００５０】
また、各浮力サイズの違う中通しウキで、例えばＧ５の浮力サイズの中通しウキ（ガン玉５号の錘を中通しウキの先の仕掛けのハリスなどに付けると、ウキが程よい残存浮力で水面に浮く浮力サイズ）にガン玉Ｇ５の重さの錘を付けても、例えば釣人の思う水面ギリギリの浮力にはならない、これは釣人が使う釣針の大きさの違いにより重さも違ってくるし、ハリスの長さや太さでウキが受ける水中抵抗の大きさが違ってくる。
このことにより、潮が動く速さの違いでウキを水中に引っ張ろうとする力も変わってくるため、一般的にはＧ５浮力サイズのウキと言っても少し浮力に余裕を持たせている。
よって、釣人は中通しウキの残っている浮力をさらに無くて、中通しウキをさらに高感度な状態にしたい場合に、本発明の実施例３のように浮力を微調整することで中通しウキ３５がさらに高感度な状態となる。
それには、まず釣竿の竿先から延びる道糸４２にワッシャー形錘３６を必要個数、道糸４２に通し入れ、その道糸４２を中通しウキ３５の浮力部３７近い方側の端の開口部より通し入れ、その次にゴム管４３を通し、そのゴム管４３にストッパー棒４４を挿入固定して、その先に道糸４２とハリス４５を結び、前記ハリス４５の先に釣針４６を付ける。
【００５１】
この時、ハリス４５と道糸４２は、例えばゴム管４３に互いの釣糸をそれぞれの反対から通し抜き、次にストッパー棒４４をゴム管４３に押し込み仮固定すると、中通しウキ３５の浮力の微調整が一度で決まらず、ワッシャー形錘３６を何度か道糸４２に挿着しなおす時でも、その都度ハリス４５と道糸４２を結びなおさなくてもストッパー棒４４を外すだけで何度も道糸４２からワッシャー形錘３６を付けたり外したりする作業が簡単にできるようになる。
ここで、ハリス４５を長くとる場合は中通しウキ３５をハリス４５中間部に付ける場合があるため、この場合、ハリス４５にワッシャー形錘３６を通し入れる。
【００５２】
これにより、中通しウキ３５のこまかい浮力の微調整ができるようになるため、中通しウキ３５に残っている余分な浮力をよりなくすことができるため、高感度な状態で中通しウキ３５が使えるようになり、例えば波によるウキの動きで浮力が残り過ぎていることによるウキの重みで、魚が違和感を感じて、付け餌を放すことなどをへらせる。
また、中通しウキ３５の細かい浮力の微調整をすることで、水面に出る中通しウキ３５の部分を少なくできるため、水面に出た部分に風があたり中通しウキ３５が風下に引っ張られることを少なくでき、撒き餌と同調（撒き餌と付け餌とを同じように流す）させやすくなる。
【符号の説明】
【００５３】
１．                    釣竿
２．                    ウキ止め
３．２５．３３．３５．  中通しウキ
４．２１．２８．４２．  道糸
５．                    からまん棒
６．                    直結部
７．                    ハリス
８．                    ガン玉
９．２７．３４．        付け餌
１０．                  上端凹部
１１．３７．            浮力部
１２．                  凸部
１３．３９．            第一部材
１４．                  空洞部
１５．４０．            第２部材
１６．４１．            釣糸通し孔
１７．                  釣人の目
１８．２３．３０．      上部視認部
１９．２４．３１．      中間視認部
２０．                  魚
２２． ２９．           平らに近い形状
２６．３２．４４．      ハリス
３６．                ワッシャー形錘
３８．                釣糸通し孔口径大部
４２ａ．              道糸の端
４３．                ゴム管
４４．                ストッパー棒
４５ａ．              ハリスの端
４６．                釣針
【図１】
2019180321.tif 000003
【図２】
2019180321.tif 000004
【図３】
2019180321.tif 000005
【図４】
2019180321.tif 000006
【図５】
2019180321.tif 000007
【図６】
2019180321.tif 000008
【図７】
2019180321.tif 000009
【図８】
2019180321.tif 000010